(57)【特許請求の範囲】
【請求項１】
電気ケーブル（９）により電源（１０）に接続可能であり固定手段（１２）によって電動手工具装置（１）に組み付けることができるモジュールハウジング（１１）を有し、吸引ヘッド（７）に負圧を生じさせるためのブロワモータ（１４）を有する吸引ブロワ（１３）を設け、前記モジュールハウジング（１１）は接点対（１６）により電動手工具装置（１）に電気的に接続可能にして電動手工具装置（１）に給電を行うようにした電動手工具装置の粉塵吸引モジュール（５）において、前記接点対（１６）は、バッテリ接点対（１６）とし、前記電動手工具装置（１）のバッテリモジュール収容部（１５）に少なくとも一部が装着可能な前記モジュールハウジング（１１）を固定手段（１２）によって所定位置に固定可能にしたことを特徴とする電動手工具装置の粉塵吸引モジュール。
【請求項２】
前記バッテリ接点対（１６）及びブロワモータ（１４）に電気的に接続しかつクロック手段を有する制御ユニット（２０）を設け、この制御ユニット（２０）を、電動手工具装置（１）のグリップ（４）の領域に設けたモータスイッチ（３）を操作することにより動作を早めたり、遅らせたり制御可能にした請求項１記載の電動手工具装置の粉塵吸引モジュール。
【請求項３】
前記粉塵吸引モジュールの電気ケーブル（９）を、電源接点対（１７）を介してモジュールハウジング（１１）に着脱自在に固定可能かつ接続可能にして給電を行うようにした請求項１又は２記載の電動手工具装置の粉塵吸引モジュール。
【請求項４】
前記モジュールハウジング（１１）を、前記手工具装置（１）及びバッテリモジュール（１９）、ならびにこのバッテリモジュール（１９）を身体に装着するバンド付きのバッテリケース（１８）に適合する組み合わせモジュールとして構成した請求項１乃至３のうちのいずれか一項に記載の電動手工具装置の粉塵吸引モジュール。
【請求項５】
前記、組み合わせモジュールの一部を、代替電源として機能する幹線電源アダプタとした請求項４記載の電動手工具装置の粉塵吸引モジュール。
【請求項６】
粉塵吸引モジュール（５）の一部として粉塵分離手段（２１）を有する粉塵分離器（８）を吸引ブロワ（１３）に着脱自在に錠止固定可能にし、粉塵分離器（８）の流れの流入側を吸引導管（６）に気密に接続し、粉塵分離器（８）の流れの流出側の一方の側を吸引ブロワ（１３）に開口するものとして構成した請求項１乃至５のうちのいずれか一項に記載の電動手工具装置の粉塵吸引モジュール。
【請求項７】
前記粉塵吸引モジュール（５）の一部として、吸引アタッチメント（２２）をモジュールハウジング（１１）に着脱自在に錠止固定可能にし、この吸引アタッチメント（２２）の流れの流出側の一方の側をモジュールハウジング（１１）に開口するものとして構成した請求項１乃至５のうちのいずれか一項に記載の電動手工具装置の粉塵吸引モジュール。
【請求項８】
前記吸引アタッチメント（２２）に、互いに抜き差し嵌合して伸縮可能なパイプ部分よりなる管状体（２３）を設けた請求項７記載の電動手工具装置の粉塵吸引モジュール。
【請求項９】
前記吸引アタッチメント（２２）に、粉塵フィルタカートリッジとして構成した廃棄処分可能な粉塵分離器（８）を設けた請求項７又は８記載の電動手工具装置の粉塵吸引モジュール。
【請求項１０】
前記吸引アタッチメント（２２）を前記電動手工具装置（１）に固定可能にした請求項７乃至９のうちのいずれか一項に記載の電動手工具装置の粉塵吸引モジュール。
【発明の詳細な説明】
【０００１】
【発明の属する技術分野】
本発明は、ハンマードリル又は削岩ドリルのような電動手工具装置のための粉塵吸引モジュールに関するものである。
【０００２】
電動手工具装置のハウジングに直接固定可能であり、吸引すべきツールに吸引導管を介して接続可能な吸引ヘッド及び廃棄処分可能な粉塵分離器を有する粉塵吸引モジュールは、電動手工具装置に組み付けるコンパクトな携帯可能なユニットとして構成し、建設業界向けに堅固な構造となっている。
【０００３】
【従来の技術】
米国特許第５，１９９，５０１号には、幹線電源から給電されるドリルハンマーの下側に固定するコンパクトなユニットとして構成した粉塵吸引モジュールであって、粉塵吸引モジュールの吸引ブロワをハンマードリルのモータ軸に固定する粉塵吸引モジュールが記載されている。
【０００４】
英国特許第２，２４７，８５２号には、幹線電源から給電されるハンマードリルのハウジングの下側に組み付ける粉塵吸引モジュールであって、ツール軸線に沿ってばね負荷連結されて移動自在の吸引管状体と、ブロワモータを有するブロワとを設け、このブロワは電動手工具装置とは独立した配電網に接続している粉塵吸引モジュールが記載されている。
【０００５】
ドイツ国特許第３，５１６，０９９号には、幹線電源から給電されるハンマードリルのハウジングの下側に組み付ける粉塵モジュールであって、ツール軸線に沿ってばね負荷連結されて可撓性の吸引導管を有する吸引ヘッドを設け、ブロワモータをハンマードリルのモータスイッチを介して給電導線によって配電網に接続している粉塵吸引モジュールが記載されている。
【０００６】
米国特許第５，８８１，８２３号には、配電網とは無関係なハンマードリルのハウジングの下側に案内レールによって組み付けることができるバッテリモジュールを設け、バッテリ接点対によりハンマードリルに給電を行うハンマードリルが記載されている。
【０００７】
【発明が解決しようとする課題】
本発明の目的は、配電網とは独立した電動手工具装置の粉塵吸引モジュールを得るにある。更に、粉塵吸引モジュールを周辺機器として拡張的に有する電動手工具装置をコンパクトにすることを目的とする。
【０００８】
【課題を解決するための手段】
この目的を達成するため、本発明は、電気ケーブルにより電源に接続可能であり固定手段によって電動手工具装置に組み付けることができるモジュールハウジングを有し、吸引ヘッドに負圧を生じさせるためのブロワモータを有する吸引ブロワを設け、前記モジュールハウジングは接点対により電動手工具装置に電気的に接続可能にして電動手工具装置に給電を行うようにした電動手工具装置の粉塵吸引モジュールにおいて、前記接点対は、バッテリ接点対とし、前記電動手工具装置のバッテリモジュール収容部に少なくとも一部が装着可能な前記モジュールハウジングを固定手段によって所定位置に固定可能にしたことを特徴とする。
【０００９】
バッテリモジュールの代わりに粉塵吸引モジュールを電動手工具装置のバッテリモジュール収容部に装着し、粉塵吸引モジュールの中間スイッチの下に粉塵吸引モジュールを電源に接続することによって、粉塵吸引モジュールを有する配電網に依存しない電動手工具装置をコンパクトなユニットとして構成することができる。遠隔のバッテリモジュールの形式のケーブル配線内に配置した電源は、本体又はベルトに支持すると好適である。代案として、電流網に接続する配線網アダプタを電源とすることもできる。
【００１０】
バッテリ接点対及びブロワモータに電気的に接続しかつクロック手段を有する制御ユニットを設け、この制御ユニットを、電動手工具装置のグリップの領域に設けたモータスイッチを操作することにより動作を早めたり遅らせたり制御可能にすると、手工具装置の作動中でも、除去した材料の吸引を行なうための負圧を生じさせることができる。
【００１１】
粉塵吸引モジュールの電気ケーブルを、電源接点対を介してモジュールハウジングに着脱自在に固定可能かつ接続可能にして給電を行うようにすると、ベルト付きバッテリケース又は配電網アダプタのような特別な電源を接続することができる。
【００１２】
モジュールハウジングを、前記手工具装置及びバッテリモジュールの近傍で一部が互いに適合するセットとして構成すると、配電網及びベルト付きバッテリケースを設けることができて一層有利である。
【００１３】
粉塵吸引モジュールの一部として粉塵分離手段を有する粉塵分離器を吸引ブロワに着脱自在に錠止固定可能にし、粉塵分離器の流れの流入側を吸引導管に気密に接続し、粉塵分離器の流れの流出側の一方の側を吸引ブロワに開口するものとして構成すると、粉塵吸引モジュール全体を手工具装置から取り外す必要なく、粉塵分離器の廃棄処分を簡単に行なうことができて有利である。
【００１４】
深さ止めとして構成した抜き差し管状体、及びフィルタのような粉塵分離手段を有する粉塵フィルタカートリッジとして構成した廃棄処分可能な粉塵分離器を有する吸引アタッチメントを電動手工具装置に固定可能にすると好適である。吸引アタッチメントは、粉塵吸引モジュールの一部として、内部にブロワモータを有する吸引ブロワを固定したモジュールハウジングに着脱自在に錠止固定可能にし、吸引アタッチメントの流出側を吸引ブロワを有するモジュールハウジングの片側に開口させると、吸引アタッチメントを有するモジュールハウジングをコンパクトな機能ユニットとして構成することができる。
【００１５】
【発明の実施の形態】
次に、図面につき本発明の好適な実施の形態を示す。
【００１６】
図１には、本発明の好適な実施の形態としての第１の実施例であるドリルハンマーとして構成した電動手工具装置１を示し、この装置１は、電動モータ２と、グリップ４の領域に設けてコンパクトな制御ユニットに接続したモータスイッチ３と、ツールの近傍に設けた吸引ヘッド７に吸引導管６を介して気密に接続した粉塵吸引モジュール５と、廃棄処分可能な粉塵分離器８とを設ける。電動手工具装置１の内部に組み付けるための蟻継ぎ案内レール及び錠止体として構成した固定手段１２を設け、電源１０から電気ケーブル９を介して給電されるモジュールハウジング１１の内部に、吸引ヘッド７に負圧を生ずるためのブロワモータ１４を有する吸引ブロワ１３を配置し、モジュールハウジング１１を電動手工具装置１のバッテリモジュール収容部１５内に部分的に配置し、固定手段１２によって所定位置に固定する。モジュールハウジング１１は、電動手工具装置１の電動モータ２のモータスイッチ３にいたるバッテリ接点対１６、及び電気ケーブル９を有する電源接点対１７に給電するよう接続し、電気ケーブル９は、バッテリケースバンド１８に設けたバッテリモジュール１９として構成した電源１０に接続する。粉塵吸引モジュール５には、ブロワモータ１４と、バッテリ接点対１６及び電源接点対１７に電気的に接続し、クロック手段及び及び出力切り替え手段を電気的に集積した制御ユニット２０とを設ける。粉塵吸引モジュール５の一部としてブロワモータ１４を有する吸引ブロワ１３に着脱自在に連結可能でありかつ廃棄処分可能な分離手段２１を有する粉塵分離器８を、流れの流入側で吸引導管６に気密に接続し、また流れの流出側で吸引ブロワ１３に片側を開放する。
【００１７】
【実施例】
図２には、本発明の第２の実施例である電動手工具装置１を示し、この装置１は、バッテリモジュール収容部１５に装着するモジュールとして組み付けることができる粉塵吸引モジュール５を有し、着脱自在のバッテリモジュール１９をアダプタのバッテリ接点対１６′によりケーブル９及び電源接点対１７を介して粉塵吸引モジュール５に、またバッテリ接点対１６を介して電動手工具装置１に電気的に接続可能にする。蟻継ぎ案内レールとして構成した固定手段１２′によって電動手工具装置１に固定可能な粉塵吸引アタッチメント２２は、深さ止めとして構成しかつ吸引ヘッド７を有する抜き差し管２３と、粉塵フィルタカートリッジとして構成した廃棄処分可能な穿孔屑分離器８とを有し、流れの流出側をモジュールハウジング１１に開口させる。粉塵吸引アタッチメント２２は粉塵吸引モジュール５の一部として、一方では蟻継ぎレールとして構成した固定手段１２″によって着脱自在にモジュールハウジング１１に錠止固定可能にし、他方では蟻継ぎレールとして構成した固定手段１２によって電動手工具装置１のバッテリモジュール収容部１５に部分的に装着可能にし、これにより、粉塵吸引アタッチメント２２は固定手段１２′に沿って電動手工具装置１に対して錠止することができる。
【図面の簡単な説明】
【図１】  本発明による粉塵吸引モジュールを有する電動手工具装置の好適な実施の形態としての第１の実施例の線図的説明図である。
【図２】  本発明による粉塵吸引モジュールを有する電動手工具装置の第２の実施例の線図的説明図である。
【符号の説明】
1  電動手工具装置
2  電動モータ
3  モータスイッチ
4  グリップ
5  粉塵吸引モジュール
6  吸引導管
7  吸引ヘッド
8  粉塵分離器
9  電気ケーブル
10  電源
11  モジュールハウジング
12  固定手段
13  吸引ブロワ
14  ブロワモータ
15  バッテリモジュール収容部
16  バッテリ接点対
17  電源接点対
18  バッテリケースバンド
19  バッテリモジュール
20  制御ユニット
21  分離手段
22  粉塵吸引アタッチメント
23  抜き差し管
【図１】
0004294908.tif 000002
【図２】
0004294908.tif 000003